【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
スランプ保持性、または高い初期強度のスランプ保持性セメント状組成物の製造方法であって、水硬性セメント、骨材、水、およびスランプ保持性混和材を混合することを含み、該スランプ保持性混和材は、少なくとも以下のモノマー：
Ａ）  不飽和ジカルボン酸、
Ｂ）  約１〜２５単位のＣ2〜Ｃ4−オキシアルキレン鎖を有する、少なくとも１つのエチレン性不飽和アルケニルエーテル、
Ｃ）  ２６〜約３００単位のＣ2〜Ｃ4−オキシアルキレン鎖を有する、少なくとも１つのエチレン性不飽和アルケニルエーテル、および
Ｄ）  セメント状組成物中で加水分解性の成分を含むエチレン性不飽和モノマー
の残基を含むダイナミックポリカルボキシレートコポリマーを含み、該エチレン性不飽和モノマー残基は、加水分解されたときにセメント状組成物の成分に対して活性な結合部位を含む、製造方法。
【請求項２】
ジカルボン酸が、マレイン酸、フマル酸、イタコン酸、シトラコン酸、グルタコン酸、３−メチルグルタコン酸、メサコン酸、ムコン酸、トラウマチン酸またはそれらの塩の少なくとも１つである、請求項１に記載の方法。
【請求項３】
成分Ｂまたは成分Ｃのエチレン性不飽和モノマーの少なくとも１つが、Ｃ2〜Ｃ8−アルケニルエーテル基を含む、請求項１または２に記載の方法。
【請求項４】
成分Ｂまたは成分Ｃのアルケニルエーテルの少なくとも１つが、ビニル、アリルまたは（メタ）アリルエーテルを含むか、またはＣ2〜Ｃ8−不飽和アルコールから誘導される、請求項１または２に記載の方法。
【請求項５】
Ｃ2〜Ｃ8−不飽和アルコールが、ビニルアルコール、（メタ）アリルアルコール、イソプレノールまたはメチルブテノールの少なくとも１つである、請求項４に記載の方法。
【請求項６】
成分ＢまたはＣの少なくとも１つのアルケニルエーテル側基が、少なくとも１つのＣ4−オキシアルキレン単位を含有する、請求項１から５までのいずれか１項に記載の方法。
【請求項７】
オキシアルキレンが、エチレンオキシド、プロピレンオキシド、ポリエチレンオキシド、ポリプロピレンオキシド、またはそれらの混合物の少なくとも１つを含む、請求項１から６までのいずれか１項に記載の方法。
【請求項８】
加水分解性の成分が、Ｃ1〜Ｃ20−アルキルエステル、Ｃ1〜Ｃ20−アミノアルキルエステル、Ｃ2〜Ｃ20−アルコール、Ｃ2〜Ｃ20−アミノアルコールまたはアミドの少なくとも１つを含む、請求項１から７までのいずれか１項に記載の方法。
【請求項９】
成分Ｄのエチレン性不飽和モノマーが、アルキルアクリレート、アルキルメタクリレート、ヒドロキシアルキルアクリレート、ヒドロキシアルキルメタクリレート、マレイン酸アルキルモノエステルまたはジエステル、またはマレイン酸ヒドロキシアルキルモノエステルまたはジエステルまたはそれらの混合物の少なくとも１つを含む、請求項１から８までのいずれか１項に記載の方法。
【請求項１０】
成分Ｄのエチレン性不飽和モノマーが、無水物またはイミドの少なくとも１つを含み、随意にマレイン酸無水物またはマレイミドの少なくとも１つを含む、請求項１から９までのいずれか１項に記載の方法。
【請求項１１】
成分Ｄのエチレン性不飽和モノマーが、加水分解性の成分を含むエステル官能性を有するアクリル酸エステルを含み、随意に該エステル官能性がヒドロキシプロピルまたはヒドロキシエチルの少なくとも１つを含む、請求項１から９までのいずれか１項に記載の方法。
【請求項１２】
コポリマーが、加水分解性の成分を含む１つより多くの成分Ｄのエチレン性不飽和モノマーの残基を含む、請求項１から１１までのいずれか１項に記載の方法。
【請求項１３】
加水分解性の成分を含む、１つより多くの成分Ｄのエチレン性不飽和モノマーが、
ａ）  １つより多くの種類のエチレン性不飽和モノマー；
ｂ）  １つより多くの加水分解性の成分；または
ｃ）  ａ）とｂ）との組み合わせ
の残基を含む、請求項１２に記載の方法。
【請求項１４】
１つより多くの加水分解性の成分が、少なくとも１つのＣ2〜Ｃ20−アルコール官能性を含む、請求項１２または１３に記載の方法。
【請求項１５】
成分Ａの酸性モノマーと成分Ｂ＋成分Ｃのアルケニルエーテルとの比  （Ａ）：（Ｂ＋Ｃ）が、約１：２〜約２：１、随意に約０．８：１〜約１．５：１であり、且つ（Ｂ）：（Ｃ）のモル比が約０．９５：０．０５〜約０．０５：０．９５、随意に約０．８５：０．１５〜約０．１５：０．８５である、請求項１から１４までのいずれか１項に記載の方法。
【請求項１６】
成分Ａの酸性モノマーと、加水分解性の成分を含む成分Ｄのエチレン性不飽和モノマーとの比が、約１６：１〜約１：１６、随意に約４：１〜約１：４、さらに随意に約３：１〜約１：３である、請求項１から１５までのいずれか１項に記載の方法。
【請求項１７】
コポリマーがさらに、非加水分解性の非イオン性エチレン性不飽和モノマー残基；  またはエステル、アミドまたはそれらの混合物の少なくとも１つの結合を有するオキシアルキレン置換モノマー残基；  またはそれらの組み合わせの少なくとも１つを含む、請求項１から１６までのいずれか１項に記載の方法。
【請求項１８】
コポリマーが、以下の一般式Ｉ
【化１】
2012505812.tif 000001
［式中、
Ｒ10は（ＣaＨ2a）を含み、且つ、ａは２〜約８の数であり、ここで同一のポリマー分子中でＲ10の混合物が可能である；
Ｒ11は（ＣbＨ2b）を含み、且つ、ｂは２〜約８の数であり、ここで同一のポリマー分子中でＲ11の混合物が可能である；
Ｒ1およびＲ2は、互いに独立して、少なくとも１つのＣ2〜Ｃ8−直鎖または分枝鎖のアルキルを含む；
Ｒ3は、（ＣＨＲ9−ＣＨＲ9）cを含み、ここでｃ＝１〜約３、且つＲ9は少なくとも１つのＨ、メチル、エチル、またはフェニルを含み、且つ、ここで同一のポリマー分子中でＲ3の混合物が可能である；
個々のＲ5はＨ、Ｃ1〜Ｃ20−（直鎖または分枝鎖、飽和または不飽和）脂肪族炭化水素基、Ｃ5〜Ｃ8−脂環式炭化水素基、または置換または非置換のＣ6〜Ｃ14−アリール基の少なくとも１つを含む；
ｍ＝１〜２５、ｎ＝２６〜約３００、ｗ＝約０．１２５〜約８、随意に約０．５〜約２、さらに随意に約０．８〜約１．５、ｘ＝約０．５〜約２、随意に約０．８〜約１．５、ｙ＝約０．０５〜約０．９５、随意に約０．１５〜約０．８５、且つ、ｚ＝約０．０５〜約０．９５、随意に約０．１５〜約０．８５；
ｙ＋ｚ＝１；
個々のＧは少なくとも１つの
【化２】
2012505812.tif 000002
［式中、
個々のＲは独立してＨまたはＣＨ3を含む；
個々のＭは独立してＨ、一価の金属カチオン、例えばアルカリ金属、または（１／２）の二価の金属カチオン、例えばアルカリ土類金属、アンモニウムイオン、または有機アミン残基を含む；且つ、
個々のＲ6は独立してＨまたはＣ1〜Ｃ3−アルキルを含む；
個々のＲ7は独立して結合、Ｃ1〜Ｃ4−アルキレンを含む；且つ、
個々のＱは、加水分解性の成分を含む、少なくとも１つの前記の成分Ｄのエチレン性不飽和モノマーである］によって表される］
によって表される、請求項１から１７までのいずれか１項に記載の方法。
【請求項１９】
加水分解性の成分を含む成分Ｄのエチレン性不飽和モノマーが、以下の一般式ＩＩ
【化３】
2012505812.tif 000003
［式中、
個々のＲは独立してＨまたはＣＨ3の少なくとも１つを含む；且つ、
Ｘはアルキルエステル、ヒドロキシアルキルエステル、アルキルアミノエステル、アミノヒドロキシアルキルエステル、またはアミド、随意に少なくとも１つのアクリルアミド、メタクリルアミド、またはそれらの誘導体の、少なくとも１つを含む］
によって表される、請求項１８に記載の方法。
【請求項２０】
加水分解性の成分を含むエチレン性不飽和モノマーが、以下の一般式ＩＩＩ
【化４】
2012505812.tif 000004
［式中、
個々のＲは独立してＨまたはＣＨ3の少なくとも１つを含む；且つ
Ｒ4はＣ1〜Ｃ20−アルキルまたはＣ2〜Ｃ20−ヒドロキシアルキルの少なくとも１つを含む］
によって表される、請求項１８または１９に記載の方法。
【請求項２１】
置換されたアリール基が、−ＣＮ、−ＣＯＯＲ8、−Ｒ8、−ＯＲ8、ヒドロキシ、カルボキシまたはスルホン酸基の少なくとも１つを含み、前記Ｒ8は水素またはＣ1〜Ｃ20−脂肪族炭化水素基である、請求項１８から２０までのいずれか１項に記載の方法。
【請求項２２】
アミドが−ＮＨ−Ｒ5
［式中、
Ｒ5は、Ｈ、Ｃ1〜Ｃ20−（直鎖または分枝鎖、飽和または不飽和）脂肪族炭化水素基、Ｃ5〜Ｃ8−脂環式炭化水素基、または置換または非置換Ｃ6〜Ｃ14−アリール基の少なくとも１つを含む；
随意に、置換アリール基は、−ＣＮ、−ＣＯＯＲ8、−Ｒ8、−ＯＲ8、ヒドロキシル、カルボキシルまたはスルホン酸基の少なくとも１つを含み、Ｒ8は水素またはＣ1〜Ｃ20−脂肪族炭化水素基である］
によって表される、請求項１９に記載の方法。
【請求項２３】
セメント状組成物がさらに、通常のポリカルボキシレートコポリマーを含む、請求項１から２２までのいずれか１項に記載の方法。
【請求項２４】
セメント状組成物がプレキャストセメント状組成物を含む、請求項１から２３までのいずれか１項に記載の方法であって、該方法がさらに、現場打ちまたはプレキャストセメント部材を混合物から形成することを含む方法。
【請求項２５】
セメント状組成物が、レディミックスセメント状組成物を含む、請求項１から２３までのいずれか１項に記載の方法。
【請求項２６】
セメント状組成物が、少なくとも１０質量パーセントのポゾラン、微細に分割された鉱物充填材、不活性充填材、またはそれらの混合物の少なくとも１つを含む高充填セメント状組成物を含む、請求項１から２５までのいずれか１項に記載の方法。
【請求項２７】
セメント状組成物にさらなる減水剤組成物を混和材の成分として、または別途、添加することを含む、請求項１から２６までのいずれか１項に記載の方法。
【請求項２８】
減水剤組成物が、従来の減水剤、通常のポリカルボキシレート分散剤、ポリアスパルテート分散剤またはオリゴマー分散剤の少なくとも１つを含む、請求項２７に記載の方法。
【請求項２９】
従来の減水剤が、リグノスルホネート、メラミンスルホネート樹脂、スルホン化メラミンホルムアルデヒド縮合物、またはスルホン化メラミンスルホネート縮合物の塩の少なくとも１つを含む、請求項２８に記載の方法。
【請求項３０】
空気連行剤、骨材、ポゾラン、充填材、硬化促進剤／硬化増強剤および強度促進剤／強度増強剤、硬化遅延剤、腐食防止剤、湿潤剤、水溶性ポリマー、流動改質剤、撥水剤、繊維、防湿混和材、透過低減剤、ポンピング助剤、抗真菌混和材、殺菌混和材、殺虫混和材、微細に分割された鉱物混和材、アルカリ反応性低減剤、着色剤、結合混和材、収縮低減混和材、またはそれらの混合物の少なくとも１つのさらなる混和材または添加剤を導入することを含む、請求項１から２９までのいずれか１項に記載の方法。